(57)【特許請求の範囲】
【請求項１】
映像信号を入力する映像入力手段と、
前記映像入力手段に入力された映像信号に映像処理を行い、表示出力信号に変換する映像信号処理手段と、
前記映像信号処理手段で変換された表示出力信号を出力する画像表示手段と、
前記映像信号処理手段において前記映像信号を前記表示出力信号に変換する信号変換量を制御する制御手段とを備えたモニタ装置において、
信号の設定レベル値を入力する信号設定値入力手段と、
前記映像入力手段に入力された映像信号の信号レベル値を検出するレベル検出手段と、
前記入力された設定レベル値を記憶する信号設定値記憶手段と、
前記信号レベル値と前記設定レベル値との差を演算し、差分信号レベル値を算出する比較演算手段と、を備え、
前記制御手段が、前記比較演算手段に演算された差分信号レベル値により、前記映像信号処理手段が変換する信号変換量を制御することを特徴とするモニタ装置。
【請求項２】
前記設定レベル値を特定する設定レベル値識別情報を入力するレベル値識別情報入力手段を備え、
前記信号設定値記憶手段が、前記信号設定値入力手段により入力された信号の設定レベル値を前記設定レベル値識別情報とともに記憶し、
前記比較演算手段が、前記レベル検出手段に検出された信号レベル値と、前記レベル値識別情報入力手段に入力された設定レベル値識別情報により特定される設定レベル値との差を演算して、前記差分信号レベル値を算出することを特徴とする請求項１に記載のモニタ装置。
【請求項３】
前記信号設定値入力手段が、前記設定レベル値とともにパスワードを入力し、
前記信号設定値記憶手段が、前記設定レベル値を前記パスワードとともに記録し、前記信号設定値入力手段から前記パスワードとともに新たな設定レベル値が入力されたときのみ前記記憶した設定レベル値を更新することを特徴とする請求項１または２に記載のモニタ装置。
【請求項４】
映像信号を入力する映像入力手段と、
前記映像入力手段に入力された映像信号に映像処理を行い、表示出力信号に変換する映像信号処理手段と、
前記映像信号処理手段で変換された表示出力信号を出力する画像表示手段と、
前記映像信号処理手段において前記映像信号を前記表示出力信号に変換する信号変換量を制御する制御手段とを備えたモニタ装置において、
信号の設定レベル値を入力する信号設定値入力手段と、
前記映像入力手段に入力された映像信号の信号レベル値を検出するレベル検出手段と、
前記映像入力手段に入力された映像信号の信号出力元の出力装置を識別する出力装置識別情報を入力する出力装置識別情報入力手段と、
前記入力された設定レベル値を、前記出力装置識別情報と前記設定レベル値と関連づけて記憶する信号設定値記憶手段と、
前記レベル検出手段が検出した信号レベル値と、前記出力装置識別情報入力手段に入力された出力装置識別情報に関連づけられた前記設定レベル値との差を演算し、前記差分信号レベル値を算出する比較演算手段とを備え、
前記制御手段が、前記比較演算手段に演算された差分信号レベル値により、前記映像信号処理手段が変換する信号変換量を制御することを特徴とするモニタ装置。
【請求項５】
映像信号を入力する映像入力手段と、
前記映像入力手段に入力された映像信号に映像処理を行い、表示出力信号に変換する映像信号処理手段と、
前記映像信号処理手段で変換された表示出力信号を出力する画像表示手段と、
前記映像信号処理手段において前記映像信号を前記表示出力信号に変換する信号変換量を制御する制御手段とを備えたモニタ装置において、
信号の設定レベル値を入力する信号設定値入力手段と、
前記映像入力手段に入力された映像信号の信号レベル値を検出するレベル検出手段と、
前記入力された設定レベル値を記憶する信号設定値記憶手段と、
モニタ装置の識別を行うモニタ装置識別情報と、前記信号設定値記憶手段に記憶された設定レベル値とを送信する設定レベル値送信手段と、
前記信号レベル値と前記設定レベル値との差を演算し、差分信号レベル値を算出する比較演算手段とを備え、
前記制御手段が、前記比較演算手段に演算された差分信号レベル値により、前記映像信号処理手段が変換する信号変換量を制御することを特徴とするモニタ装置。
【請求項６】
映像信号を入力する映像入力手段と、
前記映像入力手段に入力された映像信号に映像処理を行い、表示出力信号に変換する映像信号処理手段と、
前記映像信号処理手段で変換された表示出力信号を出力する画像表示手段と、
前記映像信号処理手段において前記映像信号を前記表示出力信号に変換する信号変換量を制御する制御手段とを備えたモニタ装置において、
前記モニタ装置を制御する外部制御機器から制御信号を入力する制御信号入力手段と、
他のモニタ装置との識別を行う自モニタ装置のモニタ装置識別情報と、
前記制御信号入力手段が入力する前記制御信号に付随するモニタ装置識別情報を分離するモニタ装置識別情報分離手段と、
前記モニタ装置識別情報分離手段に分離されたモニタ装置識別情報が、前記自モニタ装置のモニタ装置識別情報であるか否かを判断する判別手段とを備え、
前記制御手段が、前記判別手段で入力されたモニタ装置識別情報が自モニタ装置のモニタ識別情報であると判断されたとき、前記制御信号入力手段に入力された制御信号により、前記映像信号処理手段が変換する信号量変換量を制御することを特徴とするモニタ装置。
【発明の詳細な説明】
【０００１】
【発明の属する技術分野】
本発明は、監視装置などに用いられるモニタ装置に関し、特に、モニタ装置に表示される映像および音声の調整、たとえば、映像の調整であれば、コントラストや色合い等の調整量を入力することにより、輝度、色差の調整を行うモニタ装置に関するものである。
【０００２】
【従来の技術】
従来、モニタ装置では、表示情報は映像入力信号に応じて表示部に表示される。モニタ装置は、様々な環境下において使用され、また、モニタ装置に表示される映像入力信号も様々な環境の映像を表示するので、モニタ装置監視者は、モニタ装置の表示部に表示された情報の視認性を高めるため、表示される映像の輝度などを調整する。
【０００３】
図１３に、従来のモニタ装置の一例を示す。
【０００４】
図１３に示すように、従来のモニタ装置９００は、映像入力部９１０、映像信号処理部９２０、画像表示デバイス９３０、モニタ制御部９４０および本体操作部９８０を備えている。
【０００５】
映像入力部９１０は、外部から映像入力信号を入力し、モニタ装置９００に取り込むものである。映像信号処理部９２０は、映像入力部９１０に入力された映像入力信号に、モニタ制御部９４０から入力する制御信号により映像処理を行い、表示出力信号を調整して出力するものである。画像表示デバイス９３０は、映像信号処理部９２０より表示出力信号を入力して、映像として出力するものである。
【０００６】
モニタ制御部９４０は、映像信号処理部９２０が映像入力信号を表示出力信号に変換する信号変換量を、本体操作部９８０に入力された調整量により、制御するものである。本体操作部９８０は、モニタ装置９００の外部に一部を露出させたつまみからなり、画像表示デバイス９３０から出力される映像の輝度や色差の調整量を、つまみが回された操作量に応じて、モニタ制御部９４０に伝達するものである。
【０００７】
このようなモニタ装置９００において、モニタ装置監視者が、表示される映像の輝度などを調整するには、映像入力部９１０から入力された映像入力信号を、映像表示デバイス９３０に表示させて、表示画面を見ながら、本体操作部９８０を操作して、所望の映像画面となるように調整を行っていた。
【０００８】
【発明が解決しようとする課題】
しかしながら、このような従来のモニタ装置では、高所など装置本体が操作者の手のとどかないところに設置されている場合等、モニタ装置を監視している操作者が映像調節を行うことができないという問題があった。
【０００９】
また、本体操作部により映像入力信号に合わせて調整を行わなければならないために、入力される映像、特に複数のカメラを接続させて表示する場合に、映像の入力元が切り換わるたびに、適した調整量が変わるので、その都度画面を見ながら調節を行わなければならないという問題があった。
【００１０】
本発明はこのような問題を解決するためになされたもので、容易に表示映像の調整を行うことができるモニタ装置を提供するものである。
【００１１】
【課題を解決するための手段】
本発明のモニタ装置は、映像信号を入力する映像入力手段と、前記映像入力手段に入力された映像信号に映像処理を行い、表示出力信号に変換する映像信号処理手段と、前記映像信号処理手段で変換された表示出力信号を出力する画像表示手段と、前記映像信号処理手段において前記映像信号を前記表示出力信号に変換する信号変換量を制御する制御手段とを備えたモニタ装置において、信号の設定レベル値を入力する信号設定値入力手段と、前記映像入力手段に入力された映像信号の信号レベル値を検出するレベル検出手段と、前記入力された設定レベル値を記憶する信号設定値記憶手段と、前記信号レベル値と前記設定レベル値との差を演算し、差分信号レベル値を算出する比較演算手段と、を備え、前記制御手段が、前記比較演算手段に演算された差分信号レベル値により、前記映像信号処理手段が変換する信号変換量を制御することを特徴とした構成を有している。
【００１８】
この構成により、モニタ監視者が所望する信号設定レベル値を信号設定値入力手段によって入力し、信号設定値記憶手段に記憶させることができるので、モニタ監視者が所望する信号設定レベル値にしたがった画像状態に修正することができることとなる。
【００１９】
さらに、本発明のモニタ装置は、前記設定レベル値を特定する設定レベル値識別情報を入力するレベル値識別情報入力手段を備え、前記信号設定値記憶手段が、前記信号設定値入力手段により入力された信号の設定レベル値を前記設定レベル値識別情報とともに記憶し、前記比較演算手段が、前記レベル検出手段に検出された信号レベル値と、前記レベル値識別情報入力手段に入力された設定レベル値識別情報により特定される設定レベル値との差を演算して、前記差分信号レベル値を算出することを特徴とした構成を有している。
【００２０】
この構成により、映像信号の設定レベル値をこの設定レベル値を識別する設定レベル値識別情報とともに記憶するので、設定レベル値識別情報を指定することにより、設定した設定レベル値を呼び出して、この設定レベル値に応じた映像調整がされるので、映像の調整を行う際に、その都度調整量を入力せずに設定レベル値識別情報の入力だけであらかじめ設定した調整量に変更でき、簡単に素早く要求した調整量として、所望の画像状態に修正することができることとなる。
【００２１】
さらに、本発明のモニタ装置は、前記信号設定値入力手段が、前記設定レベル値とともにパスワードを入力し、前記信号設定値記憶手段が、前記設定レベル値を前記パスワードとともに記録し、前記信号設定値入力手段から前記パスワードとともに新たな設定レベル値が入力されたときのみ前記記憶した設定レベル値を更新することを特徴とした構成を有している。
【００２２】
この構成により、パスワードにより設定レベル値の記憶が保護されるので、登録者が意図せずに、設定値を変更や削除されることを防止することができることとなる。
【００２３】
また、本発明のモニタ装置は、映像信号を入力する映像入力手段と、前記映像入力手段に入力された映像信号に映像処理を行い、表示出力信号に変換する映像信号処理手段と、前記映像信号処理手段で変換された表示出力信号を出力する画像表示手段と、前記映像信号処理手段において前記映像信号を前記表示出力信号に変換する信号変換量を制御する制御手段とを備えたモニタ装置において、信号の設定レベル値を入力する信号設定値入力手段と、前記映像入力手段に入力された映像信号の信号レベル値を検出するレベル検出手段と、前記映像入力手段に入力された映像信号の信号出力元の出力装置を識別する出力装置識別情報を入力する出力装置識別情報入力手段と、前記入力された設定レベル値を、前記出力装置識別情報と前記設定レベル値と関連づけて記憶する信号設定値記憶手段と、前記レベル検出手段が検出した信号レベル値と、前記出力装置識別情報入力手段に入力された出力装置識別情報に関連づけられた前記設定レベル値との差を演算し、前記差分信号レベル値を算出する比較演算手段とを備え、前記制御手段が、前記比較演算手段に演算された差分信号レベル値により、前記映像信号処理手段が変換する信号変換量を制御することを特徴とした構成を有している。
【００２４】
この構成により、複数のカメラ等の映像出力装置を接続して画像表示を切り換える場合に、映像信号の信号出力元の出力装置識別情報と、前記設定レベル値を関連づけて記憶し、映像信号が入力された出力装置に応じた設定レベル値に切り換えるので、自動的に映像入力元の映像信号にあった最適な調整量とすることができることとなる。
【００２５】
さらに、本発明のモニタ装置は、映像信号を入力する映像入力手段と、前記映像入力手段に入力された映像信号に映像処理を行い、表示出力信号に変換する映像信号処理手段と、前記映像信号処理手段で変換された表示出力信号を出力する画像表示手段と、前記映像信号処理手段において前記映像信号を前記表示出力信号に変換する信号変換量を制御する制御手段とを備えたモニタ装置において、信号の設定レベル値を入力する信号設定値入力手段と、前記映像入力手段に入力された映像信号の信号レベル値を検出するレベル検出手段と、前記入力された設定レベル値を記憶する信号設定値記憶手段と、モニタ装置の識別を行うモニタ装置識別情報と、前記信号設定値記憶手段に記憶された設定レベル値とを送信する設定レベル値送信手段と、前記信号レベル値と前記設定レベル値との差を演算し、差分信号レベル値を算出する比較演算手段とを備え、前記制御手段が、前記比較演算手段に演算された差分信号レベル値により、前記映像信号処理手段が変換する信号変換量を制御することを特徴とした構成を有している。
【００２６】
この構成により、画像調整を行ったモニタ装置の調整情報を、モニタ装置識別情報により指定して他のモニタ装置に送信することができるので、複数台のモニタ装置を同じ設定にすることができ、画像を同じ絵柄にすることが簡単にできるとともに、他のモニタ装置の設定レベル値に調整にしてから調整し直すことができ、調整量が少なく、簡単に行うことができることとなる。
【００２７】
また、本発明のモニタ装置は、映像信号を入力する映像入力手段と、前記映像入力手段に入力された映像信号に映像処理を行い、表示出力信号に変換する映像信号処理手段と、前記映像信号処理手段で変換された表示出力信号を出力する画像表示手段と、前記映像信号処理手段において前記映像信号を前記表示出力信号に変換する信号変換量を制御する制御手段とを備えたモニタ装置において、前記モニタ装置を制御する外部制御機器から制御信号を入力する制御信号入力手段と、他のモニタ装置との識別を行う自モニタ装置のモニタ装置識別情報と、前記制御信号入力手段が入力する前記制御信号に付随するモニタ装置識別情報を分離するモニタ装置識別情報分離手段と、前記モニタ装置識別情報分離手段に分離されたモニタ装置識別情報が、前記自モニタ装置のモニタ装置識別情報であるか否かを判断する判別手段とを備え、前記制御手段が、前記判別手段で入力されたモニタ装置識別情報が自モニタ装置のモニタ識別情報であると判断されたとき、前記制御信号入力手段に入力された制御信号により、前記映像信号処理手段が変換する信号量変換量を制御することを特徴とした構成を有している。
【００２８】
この構成により、入力する制御情報に付随するモニタ装置識別情報が、自モニタのモニタ装置識別情報であるか否かを確認して、自モニタの制御情報だけを入力するので、複数のモニタ装置を接続しても、自モニタの制御情報を区別して入力することができ、正確にモニタ装置の制御を行うことができるとともに、複数のモニタ装置に対して、映像の調整を同時に行うことができることとなる。
【００３７】
【発明の実施の形態】
以下、本発明の実施の形態について、図面を用いて説明する。
【００３８】
本発明の第１の実施の形態のモニタ装置を図１に示す。図１に示すように、第１の実施の形態のモニタ装置１００は、映像入力信号および音声入力信号を入力し、映像表示および音声出力を行うものであり、外部のシステムコントローラ２またはパソコン３等と接続される。システムコントローラ２およびパソコン３は、モニタ装置１００と接続し、制御信号を送信してモニタ装置１００を制御するものである。
【００３９】
また、モニタ装置１００は、映像入力部（映像入力手段）１０、映像信号処理部（映像信号処理手段）２０、画像表示デバイス（画像表示手段）３０、音声入力部（音声入力手段）５０、音声調節部（音声信号処理手段）６０、音声出力デバイス（音声出力手段）７０、本体操作部８０、メニュー表示用キャラクタジェネレータ部９０、通信制御部１１０およびモニタ制御部（制御手段）１２０を備えている。
【００４０】
映像入力部１０は、外部から映像入力信号を入力し、モニタ装置１００に取り込むものである。映像信号処理部２０は、映像入力部１０に入力された映像入力信号を、モニタ制御部１２０からの制御信号により調整して映像処理を行い、表示出力信号に変換するものであり、Ｙ／Ｃ分離部２１、ＢＰＦ（バンドパスフィルタ）部２２、復調部２３、色差信号処理部２４、ＬＰＦ（ローパスフィルタ）部２５、輝度信号処理部２６およびＲＧＢ信号処理部２７を有している。画像表示デバイス３０は、ＣＲＴ、ＬＣＤ、ＰＤＰ等からなり、映像信号処理部２０に変換された表示出力信号を映像として出力するものである。
【００４１】
音声入力部５０は、外部から音声入力信号を入力し、モニタ装置１００に取り込むものである。音声調節部６０は、音声入力部５０に入力された音声入力信号を、モニタ制御部１２０からの制御信号により音量調整を行い、音声出力信号に変換するものである。音声出力デバイス７０は、音声調節部６０に調整された音声出力信号を出力するものである。
【００４２】
本体操作部８０は、画像表示デバイス３０から出力される映像の輝度や色差を調整する信号をモニタ制御部１２０に伝達するもので、モニタ装置１００の外部に一部を露出させた押しボタンからなるものである。また、本体操作部８０は、音声出力デバイス７０から出力される音量の調整を行う信号もモニタ制御部１２０に伝達するものである。メニュー表示用キャラクタジェネレータ部９０は、モニタ制御部１２０から入力された制御信号をメニュー表示用の画像信号に変換して、映像信号処理部２０に出力するものである。
【００４３】
通信制御部１１０は、このモニタ装置１００を制御する外部のシステムコントローラ２またはパソコン３等と接続し、制御信号を入力するものであり、通信インターフェース部１１１および通信回路部１１２を有している。
【００４４】
モニタ制御部１２０は、映像信号処理部２０が映像入力信号を表示出力信号に変換する信号変換量を、本体操作部８０または通信制御部１１０に入力された制御信号により、制御するものである。また、モニタ制御部１２０は、本体操作部８０または通信制御部１１０に入力された制御信号が音量制御信号の場合、音声調節部６０が音声入力信号を音声出力信号に変換する信号変換量も制御するものである。
【００４５】
このようなモニタ装置１００にシステムコントローラ２を接続したシステムにおいて、モニタ装置１００の映像および音声の調整を行う処理手順を、以下に説明する。
【００４６】
システムコントローラ２によらず、本体操作部８０によるモニタ装置１００の映像および音声の調整を行う場合には、本体操作部８０に配設された明るさ、コントラスト、音量等の押しボタンを操作することにより、制御情報がモニタ制御部１２０に入力され、モニタ制御部１２０が映像信号処理部２０、音声調節部６０を制御して、映像表示デバイス３０、音声出力デバイス７０から出力される映像および音量の調整を行う。
【００４７】
次に、システムコントローラ２によるモニタ装置１００の調節を行う場合を説明する。
【００４８】
本体操作部８０からの操作ではうまくいかない場合、たとえば、モニタ装置１００が高所など、本体での操作が不可能な場所に設置されていると、モニタ装置１００を監視している操作者が本体操作部８０から直接調節ができないので、システムコントローラ２を用いて、モニタ装置１００の調節を実現する。
【００４９】
システムコントローラ２からモニタ装置１００の映像および音声の調整を行うには、まず、システムコントローラ２とモニタ装置１００を通信制御部１１０の通信インターフェース部１１１を介して接続する。通信制御部１１０では、通信インターフェース部１１１を介して入力されたシステムコントローラ２からの制御情報を通信回路部１１２により解釈し、モニタ制御部１２０に出力する。モニタ制御部１２０では、通信制御部１１０から入力した制御情報により、映像信号処理部２０、音声調節部６０を制御して、映像表示デバイス３０、音声出力デバイス７０から出力される映像および音量の調整を行う。
【００５０】
以下に、システムコントローラ２からモニタ装置１００の映像および音声の調整を行う処理手順を説明する。
【００５１】
図２は、調整処理の処理手順を示すフローチャートであり、図３は、調整処理を行う際の調節メニュー画面を示すものである。
【００５２】
映像および音声の調整を行うには、まず、システムコントローラ２からモニタ装置１００に調節メニューの表示指示を行う。モニタ装置１００では、システムコントローラ２から調節メニュー表示指示がきたら（Ｓ１）、映像表示デバイス３０（以下、画面）上に調節メニューを表示する（Ｓ２）。調節メニュー表示後、システムコントローラ２より調節項目の選択（Ｓ３）があったら、選択項目の判定、すなわち、明るさの調節であるか（Ｓ１１）、コントラストの調節であるか（Ｓ２１）、色の濃さの調節であるか（Ｓ３１）、・・・を判断する。
【００５３】
明るさの調節であれば、調整値の変更入力の有無を判定し（Ｓ１２）、調整値の入力があれば、映像信号処理部２０に制御信号を送り（Ｓ１３）、映像入力信号を映像信号処理部２０で調整し、調整値を反映させた映像を画面に表示する（Ｓ１４）。
【００５４】
コントラストの調節であれば、上記と同様に、調整値の変更入力の有無を判定し（Ｓ２２）、調整値の入力があれば、映像信号処理部２０に制御信号を送り（Ｓ２３）、映像信号処理部２０で調整し、調整値を反映させた映像を画面に表示する（Ｓ２４）。
【００５５】
色の濃さの調節でも、上記同様、調整値の変更入力の有無を判定し（Ｓ３２）、映像信号処理部２０に制御信号を送り（Ｓ３３）、調整値を反映させた映像を画面に表示する（Ｓ３４）。
【００５６】
他の項目においても同様であるが、音量調節の場合には、音声調節部６０に制御信号を送り、音声出力信号を音声調節部６０で調整し、調整値を反映させた音量で音声出力デバイス７０（スピーカ）から出力する。
【００５７】
上記処理が終了したら、調節メニュー終了指示であるかを判断し（Ｓ４）、さらに調整項目がある場合には、調節項目の選択待ち（Ｓ３）となり、終了の場合には、調節メニュー表示を終了して（Ｓ５）、映像および音声の調整処理を終了する。
【００５８】
以上のように、本発明の第１の実施の形態のモニタ装置は、通信制御部を設け、システムコントローラやパソコンから制御情報を受信して、制御部が処理できる制御情報として制御部に入力させるので、本体操作部からの操作情報と同様に制御部で制御することができ、モニタ装置から離れた外部の制御端末から遠隔操作によりモニタ装置の映像および音声の調整を行うことができる。
【００５９】
次に、本発明の第２の実施の形態のモニタ装置を、図４に示す。
【００６０】
図４に示すように、第２の実施の形態のモニタ装置２００は、システムコントローラ２と接続され、映像入力部（映像入力手段）１０、映像信号処理部（映像信号処理手段）２０、画像表示デバイス（画像表示手段）３０、本体操作部８０、通信制御部１１０およびモニタ制御部２２０を備え、さらに、モニタ制御部２２０は、レベル検出部（レベル検出手段）２２１、比較・演算部（比較演算手段）２２２、メモリ（信号設定値記憶手段）２２３、制御部（制御手段）２２４を備えている。
【００６１】
映像入力部１０、映像信号処理部２０、画像表示デバイス３０、本体操作部８０および通信制御部１１０は、上記実施の形態で示した同一番号を付したものと同様のものである。
【００６２】
レベル検出部２２１は、映像入力部１０から映像入力信号を入力し、入力された映像入力信号の信号レベル値を検出するものである。比較・演算部２２２は、レベル検出部２２１に検出された信号レベル値と、メモリ２２３に記憶された基準設定レベル値または制御部２２４に選択された設定レベル値を比較して、前記信号レベル値と前記設定レベル値の差を演算し、差分信号レベル値を算出し、制御部２２４に出力するものである。
【００６３】
メモリ２２３は、あらかじめ信号の設定レベル値を各項目ごとに記憶するものであり、各項目ごとに基準設定レベル値を指定した１つの基準設定レベル値情報、または、各項目をそれぞれ設定した設定レベル値情報を複数記憶するものである。
【００６４】
制御部２２４は、比較・演算部２２２に演算された差分信号レベル値により、映像信号処理部２０が変換する信号変換量を制御するものであり、また、メモリ２２３に記憶された複数の設定レベル値情報から、レベル検出部２２１に検出された信号レベル値に応じて、１つの設定レベル値情報を選択するものである。
【００６５】
このようなモニタ装置２００において、表示する映像をあらかじめ設定された最適状態に自動的に調節表示する処理手順を、以下に説明する。この場合、メモリ２２３は、各項目ごとに基準設定レベル値を指定した１つの基準設定レベル値情報を記憶している。
【００６６】
図５に、調節処理の処理手順を表すフローチャートを示す。
【００６７】
まず、映像入力部１０から映像入力信号を入力する。映像入力部１０は、入力した映像入力信号を、映像信号処理部２０とレベル検出部２２１に出力する（Ｓ２１１）。
【００６８】
レベル検出部２２１に入力された映像入力信号は、Ｙ（輝度）成分とＣ（色）成分のレベル情報が抜き取られ、それぞれの信号レベル値が検出され、比較・演算部２２２に出力される（Ｓ２１２）。
【００６９】
ここで、メモリ２２３には、設計者が工場出荷前にあらかじめ一定の値を「基準設定レベル値」として設定してあるＹ成分とＣ成分のレベルが記録された「基準設定レベル値情報」が記録されている。
【００７０】
制御部２２４は、上記メモリ２２３に記録された「基準設定レベル値情報」を呼び出し、比較・演算部２２２に送る（Ｓ２１４）。比較・演算部２２２では、上記レベル検出部２２１から出力された映像入力信号の各信号レベル値と、上記メモリ２２３から呼び出された「基準設定レベル値情報」の各信号レベル値を、比較・演算し、入力信号レベル情報と基準設定レベル値情報の各信号レベル値の差分情報（差分信号レベル値）を算出する。さらに、上記差分情報を画面上で実現させるための調節情報（Ｙ成分の差分：明るさ、コントラスト、シャープネスで補完、Ｃ成分の差分：色の濃さ、色合いで補完）を演算して、演算結果を制御部２２４に送る（Ｓ２１５）。
【００７１】
制御部２２４では、比較・演算部２２２で得られた調節情報を映像信号処理部２０（輝度信号処理部２６、色差信号処理部２４）へ送る（Ｓ２１６）。映像信号処理部２０では、制御部２２４から入力された調節情報により、映像信号入力部１０から入力された映像入力信号を調節し、表示出力信号に変換して映像表示デバイス３０へ出力する。映像表示デバイス３０では、映像信号処理部２０で最適に調節された表示出力信号を表示する（Ｓ２１７）。
【００７２】
次に、表示する映像をあらかじめプリセットしておいて、登録された画像状態から選択して映像調節表示を行う処理手順を、以下に説明する。この場合、メモリ２２３は、各項目をそれぞれ設定した設定レベル値情報を複数記憶している。
【００７３】
図６に、調節処理の処理手順を表すフローチャートを示す。
【００７４】
まず、映像入力部１０から映像入力信号を入力する。映像入力部１０は、入力した映像入力信号を、映像信号処理部２０とレベル検出部２２１に出力する（Ｓ２２１）。
【００７５】
レベル検出部２２１に入力された映像入力信号は、Ｙ（輝度）成分とＣ（色）成分のレベル情報が抜き取られ、それぞれの信号レベル値が検出され、比較・演算部２２２に出力される（Ｓ２２２）。
【００７６】
ここで、メモリ２２３には、設計者が工場出荷前にあらかじめプリセットデータとして、様々な条件（明るくした映像、暗くした映像等）をもとにして設定してあるＹ成分とＣ成分のレベルが記録された「設定レベル値情報」が複数記録されている。
【００７７】
次に、操作者はシステムコントローラ２もしくは本体操作部８０から上記メモリ２２３に記憶されたプリセットデータから所望の設定レベル値情報を選択する。選択された設定レベル値情報は、比較・演算部２２２へ送られる（Ｓ２２４）。
【００７８】
比較・演算部２２２では、上記レベル検出部２２１から出力された映像入力信号の各信号レベル値と、上記選択された設定レベル値情報の各信号レベル値を、比較・演算し、入力信号レベル情報と設定レベル値情報の各信号レベル値の差分情報（差分信号レベル値）を算出する。さらに、上記差分情報を画面上で実現させるための調節情報（Ｙ成分の差分：明るさ、コントラスト、シャープネスで補完、Ｃ成分の差分：色の濃さ、色合いで補完）を演算して、演算結果を制御部２２４に送る（Ｓ２２５）。
【００７９】
制御部２２４では、比較・演算部２２２で得られた調節情報を映像信号処理部２０（輝度信号処理部２６、色差信号処理部２４）へ送る（Ｓ２２６）。映像信号処理部２０では、制御部２２４から入力された調節情報により、映像信号入力部１０から入力された映像入力信号を調節し、表示出力信号に変換して映像表示デバイス３０へ出力する。映像表示デバイス３０では、映像信号処理部２０で最適に調節された表示出力信号を表示する（Ｓ２２７）。
【００８０】
以上のように、本発明の第２の実施の形態のモニタ装置は、レベル検出部と比較・演算部とメモリを設け、制御部が、比較・演算部に演算された差分信号レベル値により、映像信号処理部が変換する信号変換量を制御するので、モニタ装置に入力された映像入力信号により自動的に調整量を制御でき、モニタ装置を監視する監視者がその都度調整を行わずとも、常に最適に調整された映像を見ることができる。
【００８１】
また、メモリに複数のプリセットデータを記憶させ、レベル検出部に検出された信号レベル値に応じて調整量を選択させることにより、映像入力信号に応じた調整量に切り換えることができる。
【００８２】
次に、本発明の第３の実施の形態のモニタ装置を、図７に示す。
【００８３】
図７に示すように、第３の実施の形態のモニタ装置３００は、システムコントローラ２と接続されるとともに、スイッチャー装置４と接続される。
【００８４】
スイッチャー装置４は、複数の入力端子と映像出力端子および制御情報出力端子を備え、入力端子は複数のカメラ５ａ、５ｂ、５ｃ、５ｄをそれぞれ接続し、各カメラ５ａ、５ｂ、５ｃ、５ｄから入力される映像入力信号を切り換えて、映像信号を映像出力端子からモニタ装置３００に出力するとともに、切り換えたカメラ５ａ、５ｂ、５ｃ、５ｄが接続される入力端子のチャネル番号情報を制御情報出力端子からモニタ装置３００に出力する。
【００８５】
また、モニタ装置３００は、映像入力部（映像入力手段）１０、映像信号処理部（映像信号処理手段）２０、画像表示デバイス（画像表示手段）３０、本体操作部８０、通信制御部３１０およびモニタ制御部３２０を備え、さらに、モニタ制御部３２０は、メモリ（信号設定値記憶手段）３２３、制御部（制御手段）３２４を備えている。
【００８６】
映像入力部１０、映像信号処理部２０、画像表示デバイス３０および本体操作部８０は、上記実施の形態で示した同一番号を付したものと同様のものである。
【００８７】
通信制御部３１０は、このモニタ装置３００を制御する外部のシステムコントローラ２および上記スイッチャー装置４と接続し、システムコントローラ２の制御信号およびスイッチャー装置４が切り換えたカメラ５ａ、５ｂ、５ｃ、５ｄが接続される入力端子のチャネル番号情報を入力するものであり、通信インターフェース部３１１および通信回路部３１２を有している。
【００８８】
メモリ３２３は、本体操作部８０もしくはシステムコントローラ２から通信制御部３１０を介して入力された映像レベルを調節した設定レベル値を記憶するものであり、各項目を設定した１組の設定レベル値を識別する設定レベル値ＩＤとともに記憶するものである。
【００８９】
制御部３２４は、本体操作部８０もしくはシステムコントローラ２から通信制御部３１０を介して入力された映像レベルを調節した設定レベル値を、設定レベル値ＩＤとともにメモリ３２３に記憶させるものであり、また、本体操作部８０もしくはシステムコントローラ２から入力された設定レベル値、または、入力された設定レベル値ＩＤからメモリ３２３に記憶された設定レベル値を呼び出して、映像信号処理部２０が変換する信号変換量を制御するものである。
【００９０】
このようなモニタ装置３００において、表示する映像を調節表示する処理手順を、以下に説明する。
【００９１】
図８に、調節処理の処理手順を表すフローチャートを示す。
【００９２】
まず、本体操作部８０もしくはシステムコントローラ２から、映像入力部１０から入力された映像入力信号の映像レベル（明るさ、コントラスト、シャープネス、色の濃さ、色合い）を調節する（Ｓ３１１）。調節されたデータ、たとえば、明るさ：＋５、コントラスト：−１、色の濃さ：＋１、色合い：０、シャープネス：＋１０など、に設定レベル値ＩＤを付けて、メモリ３２３に記憶する（Ｓ３１２）。
【００９３】
ここで、設定レベル値を記憶する際に、設定レベル値ＩＤごとにパスワードを設けて記憶（Ｓ３１３）することにより、登録者が意図せずに、他人が、または本人であっても、誤って設定値の変更や削除をしてしまうことを防止できる。
【００９４】
以上の処理により、各項目の設定レベル値を登録することができる。
【００９５】
次に、他人に設定レベル値を変更されてしまった、または、前に設定した設定レベル値に戻す場合の処理を説明する。
【００９６】
本体操作部８０もしくはシステムコントローラ２から設定レベル値ＩＤを選択する（Ｓ３１４）。設定レベル値ＩＤを選択すると、制御部３２４によりメモリ３２３に記憶された調節情報、設定レベル値の各項目が呼び出される（Ｓ３１５）。制御部３２４は、メモリ３２３より呼び出した調節情報を映像信号処理部２０（輝度信号処理部２６、色差信号処理部２４）へ送る（Ｓ３１６）。映像信号処理部２０では、制御部３２４から入力された調節情報により、映像信号入力部１０から入力された映像入力信号を調節し、表示出力信号に変換して映像表示デバイス３０へ出力する。映像表示デバイス３０では、映像信号処理部２０で調節された表示出力信号を表示する（Ｓ３１７）。
【００９７】
次に、複数のカメラを切り換えて表示させるスイッチャー装置からの映像を、調節表示する処理手順を、以下に説明する。
【００９８】
図９に、調節処理の処理手順を表すフローチャートを示す。
【００９９】
まず、本体操作部８０もしくはシステムコントローラ２から、スイッチャー装置４が切り換えるチャネル（スイッチャー装置４が出力する映像の入力元カメラ、入力端子番号）ごとに、監視者が見やすい映像レベル（明るさ、コントラスト、シャープネス、色の濃さ、色合い）を調節し（Ｓ３２１）、調節されたデータをそれぞれ設定レベル値ＩＤを付けて、メモリ３２３に記憶する（Ｓ３２２）。必要ならば、上記と同様に、設定レベル値ＩＤごとにパスワードを設けて記憶（Ｓ３２３）する。
【０１００】
次に、カメラのチャネル（スイッチャー装置４の入力端子番号）と上記設定した設定レベル値ＩＤをリンクさせる（Ｓ３２４）。したがって、上記チャネルごとの設定は全てのチャネルについて設定せずとも、１ｃｈ（チャネル）と２ｃｈの設定を同じとする場合には、１ｃｈの設定だけを行って、１ｃｈと２ｃｈに設定する設定レベル値ＩＤを、１ｃｈで設定した設定レベル値ＩＤとすれば良い。
【０１０１】
以上の処理により、各チャネルの設定レベル値を登録しておく。
【０１０２】
次に、スイッチャー装置４によりチャネルが切り換えられると、スイッチャー装置４が切り換えたチャネル番号を、通信制御部３１０により入力し、制御部３２４に入力させる（Ｓ３２５）。制御部３２４では、通信制御部３１０を介して入力したスイッチャー装置４のチャネル番号から、メモリ３２３に記憶したリンクしている設定レベル値ＩＤの調節情報を呼び出す（３２６）。さらに、制御部３２４は、メモリ３２３より呼び出した調節情報を映像信号処理部２０（輝度信号処理部２６、色差信号処理部２４）へ送る（Ｓ３２７）。映像信号処理部２０では、制御部３２４から入力された調節情報により、映像信号入力部１０から入力された映像入力信号を調節し、表示出力信号に変換して映像表示デバイス３０へ出力する。映像表示デバイス３０では、映像信号処理部２０で調節された表示出力信号を表示する（Ｓ３２８）。
【０１０３】
以上のように、本発明の第３の実施の形態のモニタ装置は、通信制御部とメモリと制御部を設け、メモリに記憶する調整量をＩＤを付けて記憶し、制御部が、ＩＤを指定することによりメモリ上の調整量を呼び出すので、映像の調整を行う際に、その都度調整量を入力せずにＩＤの入力だけであらかじめ設定した調整量に変更することができ、簡単に素早く要求した調整量として、所望の画像状態に修正することができる。
【０１０４】
また、複数のカメラを接続して画像表示を切り換える場合に、カメラの信号が入力される番号と調整量をリンクさせ、映像入力信号が入力されたカメラの識別情報を入力するので、カメラが切り換わるたびにその都度調整量を変更せずとも自動的にカメラにあった最適な調整量とすることができる。
【０１０５】
次に、本発明の第４の実施の形態のモニタ装置を、図１０に示す。
【０１０６】
図１０に示すように、第４の実施の形態のモニタ装置４００は、システムコントローラ２と接続されるとともに、他のモニタ装置４００と、たとえばディージーチェーンで接続される。システムコントローラ２は、直接、または、モニタ装置４００を介して、複数のモニタ装置４００と接続され、複数のモニタ装置４００を制御するものである。
【０１０７】
また、モニタ装置４００は、映像入力部（映像入力手段）１０、映像信号処理部（映像信号処理手段）２０、画像表示デバイス（画像表示手段）３０、音声入力部（音声入力手段）５０、音声調節部（音声信号処理手段）６０、音声出力デバイス（音声出力手段）７０、本体操作部８０、メニュー表示用キャラクタジェネレータ部９０、通信制御部４１０およびモニタ制御部（制御手段）４２０を備えている。
【０１０８】
映像入力部１０、映像信号処理部２０、画像表示デバイス３０、音声入力部５０、音声調節部６０、音声出力デバイス７０、本体操作部８０およびメニュー表示用キャラクタジェネレータ部９０は、上記実施の形態で示した同一番号を付したものと同様のものである。
【０１０９】
通信制御部４１０は、このモニタ装置４００を制御する外部のシステムコントローラ２および他のモニタ装置４００と接続し、システムコントローラ２の制御信号および他のモニタ装置４００と制御情報の送受信を行うものであり、通信インターフェース部４１１および通信回路部４１２を有している。
【０１１０】
モニタ制御部４２０は、本体操作部８０もしくは通信制御部４１０を介して入力された映像レベルを調節した設定レベル値を、設定レベル値ＩＤとともに記憶させるものであり、また、本体操作部８０もしくは通信制御部４１０を介して入力された設定レベル値、または、入力された設定レベル値ＩＤから記憶された設定レベル値を呼び出して、映像信号処理部２０が変換する信号変換量を制御するものである。さらに、モニタ制御部４２０は、上記設定レベル値を通信制御部４１０に受け渡して、他のモニタ装置４００に送信させるものである。
【０１１１】
このようなシステムコントローラ２および複数のモニタ装置４００を備えたシステムにおいて、複数のモニタ装置４００に対して、表示する映像を同時に遠隔調整を行う処理手順を、以下に説明する。
【０１１２】
図１１に、調節処理の処理手順を表すフローチャートを示す。
【０１１３】
調節処理に先立ち、各モニタ装置４００に、個々のモニタ装置４００を識別する装置識別情報（通信用ＩＤ）を設定する（Ｓ４１１）。この通信用ＩＤの設定は、処理のたびに設定しても良いし、一度設定したものを次から使用するようにしても良いが、あらかじめ設定されている装置ＩＤに対応したものを使用すると良い。設定されている装置ＩＤをそのまま使用する場合には、わざわざ設定せずとも良い。
【０１１４】
調節処理では、システムコントローラ２から、画像調節の対象にするモニタ装置４００の通信用ＩＤを選択する（Ｓ４１２）。選択されなかったモニタ装置４００は、選択待ちの状態が続く。次に、調節メニューを表示するコマンドをシステムコントローラ２から送信する（Ｓ４１３）。送信されたコマンドは、通信制御部４１０を介して、モニタ制御部４２０に入力され、以下、上記実施の形態と同様に、画像調節を行うことができる。
【０１１５】
次に、複数のモニタ装置の映像を同じ調整レベル値とする処理手順を、以下に説明する。
【０１１６】
図１２に、調節処理の処理手順を表すフローチャートを示す。
【０１１７】
調節処理に先立ち、上記処理同様、各モニタ装置４００に、個々のモニタ装置４００を識別する装置識別情報（通信用ＩＤ）を設定する（Ｓ４２１）。
【０１１８】
調節処理では、システムコントローラ２から、画像調節の対象にするモニタ装置４００ａの通信用ＩＤを選択する（Ｓ４２２）。調節メニューを表示するコマンドをシステムコントローラ２から送信する（Ｓ４２３）。送信されたコマンドは、通信制御部４１０を介して、モニタ制御部４２０に入力され、以下、上記実施の形態と同様に、画像調節を行う。
【０１１９】
次に、システムコントローラ２から調節したモニタ装置４００ａと画像設定を同じとしたいモニタ装置４００ｂの通信用ＩＤを選択する（Ｓ４２４）。この選択は、複数のモニタ装置４００ａ、４００ｂを同時に選択可能である。システムコントローラ２から「送信」のコマンドを画像調節したモニタ装置４００ａに対して送信する。
【０１２０】
モニタ装置４００ａは、通信制御部４１０を介して上記「送信」コマンドを受信する。モニタ制御部４２０は、上記設定した調節情報を通信制御部４１０に受け渡し、通信制御部４１０は、システムコントローラ２に選択された送信先のモニタ装置４００ｂに、上記調節情報を送信する（Ｓ４２５）。複数のモニタ装置４００ｂが選択されている場合には、それぞれに送信する。
【０１２１】
モニタ装置４００ｂは、通信制御部４１０を介して上記調節情報を受信する。モニタ制御部４２０は、受信した調節情報を映像信号処理部２０（輝度信号処理部２６、色差信号処理部２４）へ送る（Ｓ４２６）。映像信号処理部２０では、モニタ制御部４２０から入力された調節情報により、映像信号入力部１０から入力された映像入力信号を調節し、表示出力信号に変換して映像表示デバイス３０へ出力する。映像表示デバイス３０では、映像信号処理部２０で調節された表示出力信号を表示する（Ｓ４２７）。
【０１２２】
以上のように、本発明の第４の実施の形態のモニタ装置およびシステムコントローラは、通信制御部と制御部を設け、複数のモニタ装置を接続し、各モニタ装置を識別する装置識別情報を送受信するので、複数のモニタ装置に対して、映像の調整を同時に遠隔調整を行うことができる。
【０１２３】
また、画像調整を行ったモニタ装置の調整情報を、他のモニタ装置に送信することができるので、複数台のモニタ装置を同じ設定にすることができ、画像を同じ絵柄にすることが簡単にできるとともに、他のモニタ装置の設定レベル値に調整にしてから調整し直すことができ、調整量を少なくし、簡単に行うことができる。
【０１２４】
【発明の効果】
以上説明したように、本発明によればモニタ装置を制御するシステムコントローラから制御信号を受信して、制御手段が処理できる制御情報として制御手段に入力させ、制御手段が前記制御信号により映像信号処理手段が変換する信号変換量を制御することにより、本体操作部からの操作情報と同様に制御手段で映像信号処理手段を制御でき、モニタ装置から離れた外部の制御端末から遠隔操作によりモニタ装置の映像の調整を行うことができるというすぐれた効果を有するモニタ装置を提供することができるものである。
【図面の簡単な説明】
【図１】本発明の第１の実施の形態のモニタ装置を示すブロック図
【図２】本発明の調整処理を示すフローチャート
【図３】本発明の調節メニュー画面
【図４】本発明の第２の実施の形態のモニタ装置を示すブロック図
【図５】本発明の調整処理を示すフローチャート
【図６】本発明の調整処理を示すフローチャート
【図７】本発明の第３の実施の形態のモニタ装置を示すブロック図
【図８】本発明の調整処理を示すフローチャート
【図９】本発明の調整処理を示すフローチャート
【図１０】本発明の第４の実施の形態のモニタ装置を示すブロック図
【図１１】本発明の調整処理を示すフローチャート
【図１２】本発明の調整処理を示すフローチャート
【図１３】従来のモニタ装置を示すブロック図
【符号の説明】
２  システムコントローラ
３  パソコン
４  スイッチャー装置
５ａ、５ｂ、５ｃ、５ｄ  カメラ
１０  映像入力部
２０  映像信号処理部
２１  Ｙ／Ｃ分離部
２２  ＢＰＦ部
２３  復調部
２４  色差信号処理部
２５  ＬＰＦ部
２６  輝度信号処理部
２７  ＲＧＢ信号処理部
３０  画像表示デバイス
５０  音声入力部
６０  音声調節部
７０  音声出力デバイス
８０  本体操作部
９０  メニュー表示用キャラクタジェネレータ部
１００、２００、３００、４００  モニタ装置
１１０、３１０、４１０  通信制御部
１１１、３１１、４１１  通信インターフェース部
１１２、３１２、４１２  通信回路部
１２０、２２０、３２０、４２０  モニタ制御部
２２１  レベル検出部
２２２  比較・演算部
２２３、３２３  メモリ
２２４、３２４  制御部
９００  モニタ装置
９１０  映像入力部
９２０  映像信号処理部
９３０  画像表示デバイス
９４０  モニタ制御部
９８０  本体操作部
【図１】
0004718002.tif 000002
【図２】
0004718002.tif 000003
【図３】
0004718002.tif 000004
【図４】
0004718002.tif 000005
【図５】
0004718002.tif 000006
【図６】
0004718002.tif 000007
【図７】
0004718002.tif 000008
【図８】
0004718002.tif 000009
【図９】
0004718002.tif 000010
【図１０】
0004718002.tif 000011
【図１１】
0004718002.tif 000012
【図１２】
0004718002.tif 000013
【図１３】
0004718002.tif 000014